(57)【要約】【課題】  未使用時に紫外線除け鍔をコンパクトにして、常時携行を可能にすると共に、紫外線除け鍔の装着を容易にして、着用している帽子に固定できるようにする。【解決手段】  布地２の外周縁に弾性復元力を有する芯材４を取り付ける。そして、この芯材４により張られている布地２の中央部に、頭部挿入用の装着用孔５をあけ、この装着用孔５を弾性部材３で形成する。このように構成することにより、紫外線除け鍔１を装着する場合は、着用している帽子本体６に装着用孔５の弾性部材３を広げるようにして被せ、締め付けるようにして帽子本体６に固定する。次に、紫外線除け鍔１の未使用時において、紫外線除け鍔１を携行する場合は、芯材４を８の字にねじり、さらに芯材４をねじることによって、芯材４の弾性復元力が作用し、芯材４が三重のリング状になって、芯材４が復元したときの直径の約１／３になり、コンパクトにすることができる。【選択図】図１
2012251278.tif 000002
【特許請求の範囲】
【請求項１】
布地の外周縁に弾性復元力を有する芯材を取り付け、この芯材により張られている布地の中央部に、頭部挿入用の装着用孔をあけ、この装着用孔を弾性部材で形成したことを特徴とする紫外線除け鍔。
【発明の詳細な説明】
【技術分野】
【０００１】本発明は、頭部または着用している帽子に着脱可能で、コンパクトにして常時携行できるようにした紫外線除け鍔に関する。
【背景技術】
【０００２】太陽光からの紫外線から顔面等を保護するために、各種の帽子が開示されている。例えば、図１３に示すように、帽子本体６に幅広い鍔７を取り付けたものや、図１２に示すように、頭部に装着した状態で、顔面を覆うようにプラスチック製の鍔７を設け、この鍔７にゴムバンド８を取り付けて、頭部に装着するものなどがある。あるいは、頭部に装着するものではないが、ＵＶカット用の布地を用いた日傘などがある。【０００３】  日常においてよく経験することであるが、旅行や買い物、あるいは散歩などで、咄嗟に紫外線を除けたい場合がある。しかしながら、これらの鍔を広くした帽子や、プラスチック製の鍔および日傘等の上記従来例にあっては、非使用時にコンパクトにすることができない。したがって、常時このような帽子等を携行するのは、嵩張り、かつ、荷物になって邪魔になるので、つい携行しないことが多く、やむなく紫外線にさらされるという問題がある。そこで現在においては、コンパクトにして嵩張らず、手軽にバッグ等に入れて、常時携行できる紫外線除け具が望まれているのが実情である。
【発明の概要】
【発明が解決しようとする課題】
【０００４】  本発明は、このような実情に鑑みてなされたものであり、コンパクトに変形可能にして嵩張らず、バッグ等に入れて常時携行を可能にした紫外線除け鍔を提供する。
【課題を解決するための手段】
【０００５】  特許請求の範囲１の記載に基づいて、発明の詳細な説明から把握される手段は、図１に示すように、布地２の外周縁に弾性復元力を有する芯材４を取り付ける。そして、この芯材４により張られている布地２の中央部に、頭部挿入用の装着用孔５をあけ、この装着用孔５を弾性部材３で形成する。【０００６】  このように構成することにより、紫外線除け鍔を装着する場合は、図３に示すように、紫外線除け鍔１を、着用している帽子本体６に装着用孔５の弾性部材３を広げるようにして被せる。これにより、装着用孔５の弾性部材３の弾性力により、締め付けるようにして帽子本体６に固定することができ、着用している帽子本体６に紫外線除け鍔１を、容易に装着することができる。【０００７】  次に、紫外線除け鍔１の未使用時において、紫外線除け鍔１を携行する場合は、紫外線除け鍔１は、布地２の外周縁に弾性復元力を有する芯材４を取り付けた構成であるので、図９に示すように、芯材４を８の字にねじり、さらに芯材４をねじることによって、芯材４の弾性復元力が作用し、図１０に示すように、芯材４を三重のリング状にすることができる。これにより、芯材４が展開（復元）しているときの大きさ（直径）の、約１／３にすることができ、かつ、布地２は布地であるので、三重のリングに追従して変形し、薄く、かつ、コンパクトにすることができ、紫外線除け鍔１をバッグなどに常時携行することができる。
【発明の効果】
【０００８】  布地の外周縁に弾性復元力を有する芯材を取り付けたので、未使用時に紫外線除け鍔をコンパクトにすることができ、紫外線除け鍔を常時携行可能にすることができる。また、芯材により張られている布地の中央部に、頭部挿入用の装着用孔をあけ、この装着用孔を弾性部材で形成したので、紫外線除け鍔の装着を容易にすることができ、かつ、紫外線除け鍔を装着用孔の弾性部材を介して、着用している帽子に固定することができる。
【図面の簡単な説明】
【０００９】
【図１】図１は、紫外線除け鍔の平面図を示す。
【００１０】
【図２】図２は、図１のＡ−Ａ線における断面を示す。
【００１１】
【図３】図３は、紫外線除け鍔の装着手順を示す。
【００１２】
【図４】図４は、帽子に紫外線除け鍔を装着した状態を示す。
【００１３】
【図５】図５は、頭部に紫外線除け鍔を直に装着した状態を示す。
【００１４】
【図６】図６は、頭部に直に紫外線除け鍔を装着し、その上から帽子を被った状態を示す。
【００１５】
【図７】図７は、芯材を布地に取り付ける部分の拡大断面図である。
【００１６】
【図８】図８は、帽子に紫外線除け鍔を装着したときの部分拡大断面図である。
【００１７】
【図９】図９は、芯材をコンパクトにするときの初期動作を示す。
【００１８】
【図１０】図１０は、芯材をコンパクトにした状態を示す。
【００１９】
【図１１】図１１は、紫外線除け鍔を、顎紐で固定した状態を示す。
【００２０】
【図１２】図１２は、従来のプラスチック製の紫外線除け鍔を示す。
【００２１】
【図１３】図１３は、従来の鍔を広くした帽子を示す。
【発明を実施するための形態】
【００２２】  図１に示すように、紫外線除け鍔１は、布地２の周縁に芯材４を取り付け、この布地２の略中央に装着用孔５をあける。そして、この装着用孔５を、弾性部材３にて形成する。本実施例では、布地２の略中央に装着用孔５をあけているが、前側（顔面側）を広く、後ろ側（後頭部側）が狭くなるように、偏心させて装着用孔５をあけるようにしてもよい。このようにすることにより、顔面を紫外線からより効果的に保護することができる。布地２の周縁に芯材４を取り付ける方法としては、図７に示すように、芯材４を布地２で包むようにして布地２のＳ部をミシンで縫うようにする。布地２は、紫外線を通し難いメッシュの細かい布地を使用する。例えば、ポリエステル、またはポリエステルと綿などとの混紡を使用する。また、軽くして携行に便利なように、薄い布地を使用する。
【００２３】  芯材４は、弾性復元力のあるものを使用する。例えば、樹脂製の線材などが挙げられる。樹脂製の線材は軽く、紫外線除け鍔１を着用したときに揺れを少なくして、違和感を軽減することができる。弾性復元力とは、芯材４を折り曲げようとしても折れず（塑性変形せず）、かつ、弾性力を保持して復元（元の形状に戻る）することを言う。装着用孔５を形成する弾性部材３は、伸縮性のある布、あるいはゴムなどである。この弾性部材３は、紫外線除け鍔１を帽子、または頭部に固定するのに必要な締め付け力を有するようにする。
【００２４】  紫外線除け鍔１の大きさは、顔面或いは顔面および首（後頭部）を覆う大きさで、その一例を示せば、図２に示す外径寸法Ａは６０センチ程度である。装着用孔５の内径寸法Ｃおよび弾性部材３の外形寸法Ｂは、紫外線除け鍔１を帽子本体６または頭部に直に装着したときの適度の締付力が得られるように決定する。そして、図８において、紫外線除け鍔１を、帽子本体６に装着した状態で、弾性部材３がＬ１の寸法（例えば５センチ程度）にする。このＬ１寸法は、帽子本体６に適度の締付力で固定すると共に、紫外線除け鍔１が風などにより飛ばされないことを考慮して決定する。また、紫外線除け鍔１を帽子本体６に装着したときに、帽子本体６の鍔７にＬ２寸法だけかかるようにすることもできる。これにより、紫外線除け鍔１を帽子本体６にさらに強固に固定できると共に、布地２を張ることができ、かつ、弾性部材３の締付による違和感を和らげることができる。また、このＬ１およびＬ２寸法は、図５に示すように、頭部Ｗに紫外線除け鍔１を直に装着した場合、髪の毛の乱れを和らげると共に、適度の装着力を考慮して決定する。
【００２５】  紫外線除け鍔１の使用態様を、図４〜図６に示す。図４に示す使用態様は、着用している帽子本体６に被せるようにして紫外線除け鍔１を装着する。通常は、帽子本体６を着用していることが多く携行することは少ない。したがって、常時携行しているコンパクトにした紫外線除け鍔１をバッグ等から取り出して、必要な時に紫外線除け鍔１を使用することができる。図５に示す使用態様は、頭部Ｗに直に紫外線除け鍔１を装着したものである。例えば、旅行や買い物時には、図１２および図１３に示した従来の紫外線除け帽子や鍔、あるいは日傘は嵩張るので、携行しないことが多い。このような場合に、コンパクトにしてバッグ等に常時携行している紫外線除け鍔１を取り出し、紫外線除け鍔１を使用することができる。また、図６に示す使用態様は、頭部Ｗに直に紫外線除け鍔１を装着し、その上から帽子本体６を装着する。このようにすることにより、紫外線除け鍔１の布地２を、帽子本体６の鍔７で押さえるようにして、布地２を適度に張ることができ、ファッション性を高めることもでき、かつ、弾性部材３と帽子本体６の相乗効果により、紫外線除け鍔１を頭部Ｗに固定することができる。
【００２６】  次に、図９および図１０を用いて、紫外線除け鍔１をコンパクトにする方法について説明する。芯材４は、弾性復元力を有する材料を使用し、かつ、布地２の周縁に取り付けられているので、次のようにしてコンパクトにすることができる。まず、芯材４を８の字に捩じる（図９）。そして、さらに捩じると、芯材４の弾性復元力の作用により自然に変形し、図１０に示すように、三重のリング状になる。これにより、例えば、芯材４が展開（復元）した状態の直径が６０センチの場合、コンパクトに変形させたときの芯材の直径は、約２０センチ（１／３）になる。そして、紫外線除け鍔１は、布地２の周縁に芯材４を取り付けた構成になっているので、紫外線除け鍔１の布地２は、芯材４の変形に自在に追従し、図１０の状態でその厚さは芯材４の材料の直径にほぼ等しい薄いものとなる。
【００２７】  図１１に示すように、紫外線除け鍔１に顎紐９を付けることもできる。顎紐９の取り付け位置としては、芯材４の部分に一端を固定し、他端を頭部Ｗ（顎）の下で結ぶようにしてもよい。このようにすることにより、帽子本体６（鍔７）のあらゆる形状に対応して、紫外線除け鍔１を着用することができる。また、顎紐９をすることにより、芯材４の弾性復元力により、適度の張力で顎紐９を引っ張ることになり、着用している紫外線除け鍔１を風により飛ばされないように保持することができる。更に、顎紐９の結びを９´のように任意に調整することにより、紫外線除け鍔１の撓り形状を任意の形状にすることができ、好みのファッション性を得ることができる。なお、上記説明は、紫外線除けについてのみ説明したが、紫外線除け鍔１は、常時携行することができるので、咄嗟の場合の雨除けとして使用することもできる。この場合、装着用孔５の弾性部材３に頭部に被せる薄い布地のキャップを着脱自在に設ける。こうすることにより、晴天および雨天に対して両用兼用することができる。この場合の紫外線除け鍔１の布地２および上記キャップの布地は、紫外線を除け、かつ、雨を除ける布地にする。
【符号の説明】
【００２８】１    紫外線除け鍔
２    布地
３    弾性部材
４    芯材
５    装着用孔
６    帽子本体
７    鍔
８    ゴムバンド
９    顎紐（あごひも）
Ｗ    頭部
【図１】
2012251278.tif 000003
【図２】
2012251278.tif 000004
【図３】
2012251278.tif 000005
【図４】
2012251278.tif 000006
【図５】
2012251278.tif 000007
【図６】
2012251278.tif 000008
【図７】
2012251278.tif 000009
【図８】
2012251278.tif 000010
【図９】
2012251278.tif 000011
【図１０】
2012251278.tif 000012
【図１１】
2012251278.tif 000013
【図１２】
2012251278.tif 000014
【図１３】
2012251278.tif 000015